(57)【要約】通信システム（１０）は、パケットベースのデータネットワーク（３２）に連結されている無線アクセスネットワークを含んでいる。パケットベースの通話は無線アクセスネットワークに連結された移動局（２０）と、データネットワーク（３２）に連結されたネットワークエンドポイントとの間で確立されてよい。効率的な通話セットアップ及び通話解除のために、Ｓｅｓｓｉｏｎ　Ｉｎｉｔｉａｔｉｏｎ　Ｐｒｏｔｏｃｏｌ（ＳＩＰ）メッセージ及びＲｅｓｏｕｒｃｅ　Ｒｅｓｅｒｖａｔｉｏｎ　Ｐｒｏｔｏｃｏｌ（ＲＳＶＰ）メッセージなどの通話コントロールシグナリングが無線アクセスネットワーク上のトラフィックチャネルにおいて搬送される。【選択図】図２
2004505521.tif 000002
【特許請求の範囲】
【請求項１】
無線ネットワークにおいて通話を確立するための方法であって、
前記無線ネットワーク上のパケット交換通話に対する要求を送るステップであって、前記パケット交換通話はパケット交換通信を使用してリアルタイムのデータを通信するステップと、
コントロールシグナリングを通信して、前記パケット交換通話を、前記無線ネットワークのトラフィックチャネルにおいてセットアップするステップと、
を含むことを特徴とする方法。
【請求項２】
前記要求を送るステップが、ランダムアクセスチャネルにおいて前記要求を送るステップを含むことを特徴とする請求項１に記載の方法。
【請求項３】
前記要求を送るステップが、予め定義されたコードを有する前記要求を、拡張汎用パケット無線サービスシステムの前記ランダムアクセスチャネルにおいて送るステップを含むことを特徴とする請求項２に記載の方法。
【請求項４】
前記ランダムアクセスチャネルにおいて前記要求を送るステップが、ＲＡＣＨ，ＰＲＡＣＨ，及びＣＰＲＡＣＨのうちの１つにおいて前記要求を送るステップを含むことを特徴とする請求項３に記載の方法。
【請求項５】
前記予め定義されたコードを検索して前記要求に送るステップをさらに含むことを特徴とする請求項１に記載の方法。
【請求項６】
前記予め定義されたコードを検索するステップが、ランダムアクセスチャネルの移動局ノードを検索するステップを含むことを特徴とする請求項５に記載の方法。
【請求項７】
前記トラフィックチャネルにおいて前記コントロールシグナリングを通信するステップが、パケットデータトラフィックチャネルにおいて前記コントロールシグナリングを通信するステップを含むことを特徴とする請求項１に記載の方法。
【請求項８】
前記コントロールシグナリングを通信するステップが、拡張汎用パケット無線サービスシステムのＰＤＴＣＨにおいて前記コントロールシグナリングを通信するステップを含むことを特徴とする請求項７に記載の方法。
【請求項９】
前記コントロールシグナリングを通信するステップが、専用の物理チャネルにマッピングされたパケットデータトラフィックチャネルにおいて前記コントロールシグナリングを通信するステップを含むことを特徴とする請求項７に記載の方法。
【請求項１０】
前記専用の物理チャネルにマッピングされた別のトラフィックチャネルにおいてベアラトラフィックを通信するステップをさらに含むことを特徴とする請求項９に記載の方法。
【請求項１１】
前記トラフィックチャネルにおいて前記コントロールシグナリングを通信するステップが、前記コントロールシグナリングをＰＤＴＣＨにおいて通信するステップを含み、前記ベアラトラフィックを通信するステップが、拡張汎用パケット無線サービスプロトコルに従って画定されたＴＣＨ、前記ＰＤＴＣＨ及びＴＣＨにおいて前記ベアラトラフィックを通信するステップを含むことを特徴とする請求項１０に記載の方法。
【請求項１２】
前記コントロールシグナリングを通信するステップが、Ｓｅｓｓｉｏｎ　Ｉｎｉｔｉａｔｉｏｎ　Ｐｒｏｔｏｃｏｌメッセージを通信するステップを含むことを特徴とする請求項１に記載の方法。
【請求項１３】
前記コントロールシグナリングを通信するステップが、Ｓｅｓｓｉｏｎ　Ｉｎｉｔｉａｔｉｏｎ　Ｐｒｏｔｏｃｏｌ　Ｉｎｖｉｔｅ要求を通信するステップを含むことを特徴とする請求項１２に記載の方法。
【請求項１４】
解除メッセージを送り、トラフィックチャネルにおいて前記パケット交換通話を終了させるステップをさらに含むことを特徴とする請求項１に記載の方法。
【請求項１５】
前記解除メッセージを送るステップが、Ｓｅｓｓｉｏｎ　Ｉｎｉｔｉａｔｉｏｎ　Ｐｒｏｔｏｃｏｌ　Ｂｙｅメッセージを送るステップを含むことを特徴とする請求項１４に記載の方法。
【請求項１６】
サービス品質関連メッセージをトラフィックチャネルにおいて送るステップをさらに含むことを特徴とする請求項１に記載の方法。
【請求項１７】
前記サービス品質関連メッセージを送るステップが、Ｒｅｓｏｕｒｃｅ　Ｒｅｓｅｒｖａｔｉｏｎ　Ｐｒｏｔｏｃｏｌメッセージを送るステップを含むことを特徴とする請求項１６に記載の方法。
【請求項１８】
前記コントロールシグナリングを前記トラフィックチャネルにおいて通信するステップが、前記コントロールシグナリングをＰＤＴＣＨにおいて通信するステップを含み、該方法が、ベアラトラフィックをＴＣＨにおいて通信するステップを更に含むことを特徴とする請求項１に記載の方法。
【請求項１９】
前記コントロールシグナリングを前記トラフィックチャネルにおいて通信するステップが、前記コントロールシグナリングをＰＤＴＣＨにおいて通信するステップを含み、該方法が、ベアラトラフィックをＰＤＴＣＨにおいて通信するステップをさらに含むことを特徴とする請求項１に記載の方法。
【請求項２０】
ランダムアクセスチャネルを送り、無線ネットワークへのアクセスを要求するステップと、
前記アクセスが、パケット交換通信を使用してエンドポイント間でリアルタイムデータを交換するパケット交換通話を有することを示すために、所定のコードを前記ランダムアクセスチャネルに付加するステップと、
前記パケット交換通話に対する通話セットアップシグナリングが前記無線ネットワークのトラフィックチャネルにおいて通信される、所定の論理チャネル組み合わせを使用して前記パケット交換通話を実行するステップと、
を含む方法をシステムに実行させるために、コンピュータプログラムコードを有する少なくとも１つのコンピュータ読取り可能記憶媒体を有していることを特徴とするコンピュータプログラム製品。
【請求項２１】
前記ランダムアクセスチャネルを送るステップが、ＲＡＣＨ，ＰＲＡＣＨ，及びＣＰＲＡＣＨの内の１つを送るステップを含むことを特徴とする請求項２０に記載のコンピュータプログラム製品。
【請求項２２】
前記パケット交換通話に対する前記通話セットアップシグナリングが、ＰＤＴＣＨにおいて通信されることを特徴とする請求項２０に記載のコンピュータプログラム製品。
【請求項２３】
前記通話セットアップシグナリングが、Ｓｅｓｓｉｏｎ　Ｉｎｉｔｉａｌｉｚａｔｉｏｎ　Ｐｒｏｔｏｃｏｌメッセージを含み、該方法が、前記Ｓｅｓｓｉｏｎ　Ｉｎｉｔｉａｔｉｏｎ　Ｐｒｏｔｏｃｏｌメッセージを前記トラフィックチャネルにおいて通信するステップを含むことを特徴とする請求項２０に記載のコンピュータプログラム製品。
【請求項２４】
前記Ｓｅｓｓｉｏｎ　Ｉｎｉｔｉａｔｉｏｎ　Ｐｒｏｔｏｃｏｌメッセージを通信するステップが、前記Ｓｅｓｓｉｏｎ　Ｉｎｉｔｉａｔｉｏｎ　Ｐｒｏｔｏｃｏｌメッセージを汎用パケット無線サービス（ＧＰＲＳ）ネットワークのＰＤＴＣＨにおいて通信するステップを含むことを特徴とする請求項２３に記載のコンピュータプログラム製品。
【請求項２５】
前記Ｓｅｓｓｉｏｎ　Ｉｎｉｔｉａｔｉｏｎ　Ｐｒｏｔｏｃｏｌメッセージを通信するステップが、Ｓｅｓｓｉｏｎ　Ｉｎｉｔｉａｔｉｏｎ　Ｐｒｏｔｏｃｏｌ　Ｉｎｖｉｔｅメッセージを通信するステップを含むことを特徴とする請求項２３に記載のコンピュータプログラム製品。
【請求項２６】
前記Ｓｅｓｓｉｏｎ　Ｉｎｉｔｉａｔｉｏｎ　Ｐｒｏｔｏｃｏｌメッセージを通信するステップが、前記Ｉｎｖｉｔｅメッセージへの応答メッセージを受信するステップを含むことを特徴とする請求項２５に記載のコンピュータプログラム製品。
【請求項２７】
前記Ｓｅｓｓｉｏｎ　Ｉｎｉｔｉａｔｉｏｎ　Ｐｒｏｔｏｃｏｌメッセージを通信するステップが、Ｓｅｓｓｉｏｎ　Ｉｎｉｔｉａｔｉｏｎ　Ｐｒｏｔｏｃｏｌ　Ｂｙｅメッセージを通信して、通話を解除するステップを含むことを特徴とする請求項２３に記載のコンピュータプログラム製品。
【請求項２８】
前記通話セットアップシグナリングが、補助的サービスを提供するコントロールメッセージを含み、該方法が、前記コントロールメッセージを通信して、前記補助的サービスを提供するステップを含むことを特徴とする請求項２３に記載のコンピュータプログラム製品。
【請求項２９】
基地局を有する無線通信システムにおいて使用するための移動局であって、
パケット交換通話に関連する所定のコードを記憶している記憶要素と、
ランダムアクセスチャネルを無線リンク上の前記基地局のうちの１つに送り、前記無線通信システムにアクセスするためのコントローラと、
を備え、
前記ランダムアクセスチャネルは、前記アクセスがパケット交換通話を有することを示すために前記所定のコードを含み、
前記コントローラは、前記パケット交換通話に対する通話コントロールシグナリングが前記無線リンクのトラフィックチャネルにおいて通信される、所定の割り当てられた論理チャネル組み合わせを使用して前記パケット交換通話を実行すること、
を特徴とする移動局。
【請求項３０】
前記ランダムアクセスチャネルが、ＲＡＣＨ，ＰＲＡＣＨ，及びＣＰＲＡＣＨのうちの１つを含むことを特徴とする請求項２９に記載の移動局。
【請求項３１】
前記トラフィックチャネルが、ＰＤＴＣＨを含むことを特徴とする請求項３０に記載の移動局。
【請求項３２】
前記通話コントロールシグナリングが、Ｓｅｓｓｉｏｎ　Ｉｎｉｔｉａｔｉｏｎ　Ｐｒｏｔｏｃｏｌメッセージを含むことを特徴とする請求項３１に記載の移動局。
【請求項３３】
移動局と通信できる、無線リンクへのインタフェースと、
要求を受信し、前記無線リンク上でパケット交換通話をセットアップするように構成されたコントローラと、
を備え、
前記コントローラは、さらに、前記要求に応答して、論理チャネル組み合わせを割り当てるように構成されており、
前記コントローラは、さらに、前記パケット交換通話に対する通話コントロールシグナリングを、前記無線リンクのトラフィックチャネルにおいて通信するように構成されていること、
を特徴とする無線ネットワークコントロールシステム。
【請求項３４】
前記論理チャネル組み合わせが、ＴＣＨ＋ＦＡＣＣＨ＋ＳＡＣＣＨ＋ＰＤＴＣＨ＋ＰＡＣＣＨ＋ＰＴＣＣＨを含んでおり、前記トラフィックチャネルが、ＰＤＴＣＨを含むことを特徴とする請求項３３に記載の無線ネットワークコントロールシステム。
【請求項３５】
前記通話コントロールシグナリングが、Ｓｅｓｓｉｏｎ　Ｉｎｉｔｉａｔｉｏｎ　Ｐｒｏｔｏｃｏｌメッセージを含むことを特徴とする請求項３４に記載の無線ネットワークコントロールシステム。
【請求項３６】
前記コントローラが、前記パケット交換通話の成功表示を前記ＰＡＣＣＨにおいて通信するように構成されていることを特徴とする請求項３４に記載の無線ネットワークコントロールシステム。
【請求項３７】
前記コントローラが、無線リソース管理シグナリングを前記ＰＡＣＣＨにおいて通信して、前記パケット交換通話の状態を示すように構成されていることを特徴とする請求項３４に記載の無線ネットワークコントロールシステム。
【発明の詳細な説明】
【０００１】
【発明の属する技術分野】
［技術分野］
本発明は、無線ネットワークにおけるパケットベースの通話（ｐａｃｋｅｔ−ｂａｓｅｄ ｃａｌｌ；パケット系通話）に関する。
【０００２】
【従来の技術】
［背景］
携帯電話やパーソナル通信サービス（ＰＣＳ）システムなどのモバイル通信システムは、複数のセルからなる。各セルは、モバイルユニットが、公衆交換電話網（ＰＳＴＮ）に接続された別のモバイルユニット又はワイヤラインユニットとの通話を確立する無線通信センターを提供する。各セルは無線基地局を含んでおり、各基地局は、モバイルユニット間、又はモバイルユニットとＰＳＴＮユニット間の通話処理を制御する基地局コントローラ又はモバイル交換センターに接続されている。
【０００３】
様々な無線プロトコルがモバイルネットワークにおける通信を画定するために存在している。そのようなプロトコルの１つは、米国電気通信工業会（ＴＩＡ）によって供されるＴＩＡ／ＥＩＡ−１３６規格などの時分割多元接続（ＴＤＭＡ）プロトコルである。ＴＩＡ／ＥＩＡ−１３６ＴＤＭＡによって、各チャネルは、６つのタイムスロットに分割されたフレームを搬送し、チャネルごとに複数の（３つ又は６つの）モバイルユニットを支持する。他のＴＤＭＡ系システムは、８つのタイムスロット（又はバースト期間）に分割されたＴＤＭＡフレームを使用する移動通信用グローバルシステム（ＧＳＭ）を含んでいる。
【０００４】
ＴＩＡ／ＥＩＡ−１３６及びＧＳＭ　ＴＤＭＡシステムなどの従来の音声指向無線システムは、１つの回線がモバイルユニットとモバイル交換センターとの間の接続期間中にわたり独占される回線交換接続パスを利用している。このような接続は、音声などの比較的連続性のある通信にとっては最適である。しかしながら、ローカルエリアネットワーク（ＬＡＮ），ワイドエリアネットワーク（ＷＡＮ），及びインターネットなどのデータネットワークは、通信リンク上のノード間の通信がデータパケットによるものであるパケット交換接続を使用している。各ノードは、ノードがデータパケットの送受信を必要とする場合に限り、通信リンクを独占する。イントラネットやインターネットなどのデータネットワーク上の通信の普及に伴う携帯電話加入者の急速な増加によって、データネットワーク，電子メール，データベース，及びその他のタイプのデータへの便利かつ効率的なアクセスを提供するパケット交換無線データ接続が望まれるようになった。
【０００５】
複数のパケット交換無線接続プロトコルが提案されて、モバイルユニットとデータネットワークとの間のより効率的な接続を提供してきた。このようなプロトコルの１つは、既存のＧＳＭシステムを補完する汎用パケット無線サービス（Ｇｅｎｅｒａｌ　Ｐａｃｋｅｔ　Ｒａｄｉｏ　Ｓｅｒｖｉｃｅ）（ＧＰＲＳ）プロトコルである。ＧＰＲＳに基づいて構築するもう１つの技術は、より高いデータ率を提供するエッジ（Ｅｎｈａｎｃｅｄ　Ｄａｔａ　Ｒａｔｅ　ｆｏｒ　Ｇｌｏｂａｌ　Ｅｖｏｌｕｔｉｏｎ）（ＥＤＧＥ）である。ＥＤＧＥによるＧＰＲＳの拡張は、拡張ＧＰＲＳ（ＥＧＰＲＳ）と称される。ＥＧＰＲＳのもう１つの変形は、ＥＧＰＲＳ　ＣＯＭＰＡＣＴ技術である。
【０００６】
パケット交換無線接続プロトコルは、インターネット，ＬＡＮ，ＷＡＮなどの従来のデータネットワークへの効率的なアクセスを提供する。このようなデータネットワークは、音声、及び、（ビデオ，オーディオ，及びビデオなどの）他の形態のリアルタイム又はストリーミング通信について増大しつつある。種々のプロトコルが画定され、しばしばパケット交換ネットワークであるデータネットワーク上のこのようなリアルタイム又はストリーミング通信を可能にしてきた。一般的なパケット交換ネットワークは、インターネットプロトコル（ＩＰ）ネットワークである。
【０００７】
ＩＰネットワーク上の通話（コール）を確立するために、セッションイニシエーションプロトコル（Ｓｅｓｓｉｏｎ　Ｉｎｉｔｉａｔｉｏｎ　Ｐｒｏｔｏｃｏｌ）（ＳＩＰ），Ｈ．３２３，又は他のタイプのメッセージが使用されてもよい。一旦、通話が確立されると、他の通信プロトコルが使用されて、確実なリアルタイム通信を提供する。このような他のプロトコルは、リアルタイムプロトコル（Ｒｅａｌ−Ｔｉｍｅ　Ｐｒｏｔｏｃｏｌ）（ＲＴＰ）やリソースリザーベーションプロトコル（Ｒｅｓｏｕｅｃｅ　Ｒｅｓｅｒｖａｔｉｏｎ　Ｐｒｏｔｏｃｏｌ）（ＲＳＶＰ）などを含んでいる。しかしながら、ＳＩＰ，ＲＳＶＰ，又はＨ．３２３メッセージなどの一般的なメッセージの比較的大きなサイズによって、無線ネットワーク上にパケットベースの通話セッションを確立しようとすると、許容できない大きな遅延が生じることがある。
【０００８】
【発明が解決しようとする課題】
無線ネットワークが発展し続ける場合には、パケット交換無線ネットワーク上に音声及び他の形態のリアルタイム又はストリーミング通信を可能にする改良された方法及びメカニズムに対するニーズが存在する。
【０００９】
【課題を解決するための手段】
［概要］
一般的に、１つの実施形態に従って、無線ネットワークにおいて通話を提供するための方法は、パケット交換通話として通話を識別するための識別子を送るステップと、無線ネットワークのトラフィックチャネルにおけるコントロールシグナリングを通信してパケット交換通話を確立するステップとを備えている。
【００１０】
本発明のいくつかの実施形態は、以下の利点の１つ以上を含んでいてもよい。効率的なメカニズムが提供されて、無線ネットワーク上のパケット交換通話に関連するコントロールシグナリングを通信する。このような効率の良さは、比較的早い通話のセットアップ及び解除を可能にする。通話セットアップ，通話解除，及び補助的サービスなどの種々の通話サービスに必要とされる時間を短くすることによって、ユーザの利便性は向上し、無線ネットワークにおける使用可能な帯域のより効率的な使用が提供される。
【００１１】
その他の特徴及び利点は、以下の説明，図面，及び特許請求の範囲から明らかになるであろう。
【００１２】
【発明の実施の形態】
［詳細な説明］
以下の説明において、多くの詳細が本発明の理解を提供するために記載される。しかしながら、本発明は、これらの詳細な説明がなくても実現され、かつ記載される実施形態からの多くの変更及び修正が可能であることは、当業者によって理解されるであろう。
【００１３】
図１に示すように、携帯電話又はパーソナル通信サービス（ＰＣＳ）システムであってよいモバイル通信システム１０は、各々が基地局１８を有する複数のセル１４を含んでいる。基地局１８は、無線周波数（ＲＦ）キャリア２６上の移動局２０（例えば、モバイル電話，モバイルコンピュータ，個人情報端末，他のタイプのモバイルユニットなど）と通信できる。基地局１８のグループは、対応する基地局コントローラ（ＢＳＣ）１１に接続される。パケット交換通信にとって、ＢＳＣ１１は、１つの実施形態においてサービングＧＰＲＳ（汎用パケット無線サービス（Ｇｅｎｅｒａｌ　Ｐａｃｋｅｔ　Ｒａｄｉｏ　Ｓｅｒｖｉｃｅ））サポートノード（ＳＧＳＮ）であるデータトラフィックサービスノード３５と対話する。さらなる実施形態において、基地局１８がＳＧＳＮ３５に接続された状態の下では、ＢＳＣ１１は省略されてもよい。
【００１４】
この説明においては、セル１４が参照されるが、本発明の実施形態は、その他のセル・セグメント（例えば、セル・セクタ）にも等しく適用可能である。ここで使用されるような「セル・セグメント」は、一般的に、セル，セル・セクタ，又はセルの他の分割（部分）を指している。
【００１５】
ＳＧＳＮ３５は、回線交換無線通信を提供するモバイル交換センター（ＭＳＣ）１２に連結されてもよい。図示されないが、ＭＳＣ１２は、セル１４のグループ又はセルの別のグループであってもよいセルのネットワークに連結される。
【００１６】
パケット交換データサービスは、欧州電気通信標準化機構（Ｅｕｒｏｐｅａｎ　Ｔｅｌｅｃｏｍｍｕｎｉｃａｔｉｏｎｓ　Ｓｔａｎｄａｒｄｓ　Ｉｎｓｔｉｔｕｔｅ）（ＥＴＳＩ）によって設定される拡張ＧＰＲＳ（ＥＧＰＲＳ）プロトコル又はＥＧＰＲＳ　ＣＯＭＰＡＣＴプロトコルによって画定されるチャネルを使用して行われてもよい。ここで使用されるような「ＧＰＲＳシステム」への言及は、ＥＧＰＲＳ又はＥＧＰＲＳ　ＣＯＭＰＡＣＴシステムのいずれかを指している。パケット交換データサービスは、また、ワイドバンド（Ｗｉｄｅｂａｎｄ）ＣＤＭＡシステム（Ｗ−ＣＤＭＡ）又はＣＤＭＡ−２０００システムなどの符号分割多元接続（ＣＤＭＡ）システムによって提供されてもよい。無線ネットワークにおける回線交換サービスは、移動通信用グローバルシステム（ＧＳＭ）又はＴＩＡ／ＥＩＡ−１３６、両方の時分割多元接続（ＴＤＭＡ）技術によるものでもよい。或いはまた、回線交換サービスはまたＣＤＭＡプロトコルによるものでもよい。
【００１７】
ＳＧＳＮ３５は、ＥＧＰＲＳ又はＥＧＰＲＳ　ＣＯＭＰＡＣＴプロトコルに従って、セル１４内の移動局２０とのパケット交換通信の確立，処理，及び終了を制御する。また、ＧＰＲＳに従って、ＳＧＳＮ３５は、コアネットワーク３７上でパケット交換データネットワーク３２へのインタフェースを提供するゲートウェイＧＰＲＳサポートノード（ＧＧＳＮ）３６と通信する。電子メール，ウェブ閲覧，ファイル転送などの種々のタイプのデータサービスがパケット交換データネットワーク３２上で使用可能である。パブリックデータネットワークの一例は、インターネットであり、プライベートデータネットワークの例は、様々な企業（例えばビジネス、大学など）の一部であってもよいローカルエリアネットワーク（ＬＡＮ）又はワイドエリアネットワーク（ＷＡＮ）である。図示された実施形態は、移動局２０などの無線装置にパケット交換サービスを提供するノードとしてＳＧＳＮ３５及びＧＧＳＮ３６を示しているが、他の技術に従った他のタイプのノードがさらなる実施形態において採用されてもよい。
【００１８】
データネットワーク３２上で使用可能な、電子メール，ウェブ閲覧，ファイル転送などの従来のデータサービスに加えて、音声及び他の形態のリアルタイムデータ通信（例えば、オーディオ／ビデオストリーミング）もまたデータネットワーク３２上で可能である。そのような音声又は他のリアルタイムデータ通信のために、データネットワーク３２上で通信するためのネットワークインタフェースコントローラを含む端末４０及び４２を備えてもよい。一例において、端末４０は、ノーテルネットワークス社（Ｎｏｒｔｅｌ　Ｎｅｔｗｏｒｋｓ　Ｌｔｄ．）によるｉ２００４電話などのデータネットワーク可能電話である。このようなデータネットワーク可能電話は、音声及び他のタイプのリアルタイムデータを、データネットワーク３２上で通信されるパケットに変換する。端末４２の一例は、ノーテル社によるｉ２０５０製品などの、音声処理能力及びソフトホンルーチン（ｓｏｆｔ ｐｈｏｎｅ ｒｏｕｔｉｎｅ）に適合するコンピュータである。従って、ユーザは、ＰＳＴＮ１６などの従来の回線交換ネットワークを介さなくても、データネットワーク３２上で互いに通信できる。
【００１９】
パケット交換データネットワーク３２上の端末は、また、公衆交換電話網（ＰＳＴＮ）１６とパケット交換データネットワーク３２との間に連結されるメディアゲートウェイ３３を介してＰＳＴＮ１６に接続された電話装置と通信できる。メディアゲートウェイ３３は、パケット交換音声フレームと回線交換音声フレームとの間で変換を行う。
【００２０】
メディアゲートウェイコントロール機能（ＭＧＣＦ）モジュール３９は、メディアゲートウェイ３３の両側の端末間の通話セッションにおいて、パケット交換と回線交換のシグナリング間の変換を行う。例えば、ＭＧＣＦモジュール３９は、ＰＳＴＮ１６へのシグナリングシステムＮｏ．７（Ｓｉｇｎａｌｉｎｇ　Ｓｙｓｔｅｍ　Ｎｏ．７）（ＳＳ７）シグナリングを生成する。さらに、通信システムは、パケットベースの通信セッションに全通話コントロールを提供する通話状態コントロール機能（ＣＳＣＦ）モジュール４１を含んでいる。いくつかの実施形態において、ＣＳＣＦモジュール４１は、他のエンティティに代わって通話要求を受信し、通話要求の論理アドレス又は識別子を分析し、通話要求を目的宛先に転送するＳＩＰプロキシ又はサーバである。
【００２１】
データネットワーク３２の一例は、インターネットプロトコル（ＩＰ）ネットワークなどのコネクションレスのパケット交換ネットワークである。ＩＰは、１９８１年９月に、「インターネットプロトコル（Ｉｎｔｅｒｎｅｔ　Ｐｒｏｔｏｃｏｌ）」と題されて、ＲＦＣ（Ｒｅｑｕｅｓｔ　ｆｏｒ　Ｃｏｍｍｅｎｔｓ）７９１にて説明されている。ＩＰｖ６などの他のバージョンのＩＰや他のパケット交換規格は、また、さらなる実施形態において利用されてもよい。ＩＰｖ６のバージョンは１９９８年１２月に、「インターネットプロトコル、バージョン６（ＩＰｖ６）明細書（Ｉｎｔｅｒｎｅｔ　Ｐｒｏｔｏｃｏｌ，Ｖｅｒｓｉｏｎ６（ＩＰｖ６）Ｓｐｅｃｉｆｉｃａｔｉｏｎ）」と題されて、ＲＦＣ２４６０に説明されている。
【００２２】
ＩＰネットワークなどのパケット交換ネットワークは、パケット，データグラム，又はネットワーク上の他のデータ単位と通信する。通話セッションの期間中、専用のエンド・トゥ・エンドチャネル部分（例えば、タイムスロット）を提供する回線交換ネットワークと異なり、パケット交換ネットワークは、コネクションレスインターネットワーク層に基づいている。パケット交換ネットワークに注入されたパケット又は他のデータ単位は、目的ポイントまで、いずれのネットワーク上を（また可能なことに異なるネットワーク上を）独立して進んでもよい。パケットは、ばらばらに到着してもよい。パケットの経路選択は、各パケットに搬送される１つ以上のアドレスに基づいている。
【００２３】
もう１つのタイプのパケット系ネットワークは、非同期伝達モード（Ａｓｙｎｃｈｒｏｎｏｕｓ　Ｔｒａｎｓｆｅｒ　Ｍｏｄｅ）（ＡＴＭ）やフレームリレーネットワーク（Ｆｒａｍｅ　Ｒｅｌａｙ　Ｎｅｔｗｏｒｋ）などの接続形のパケット系ネットワークである。接続形パケット系ネットワークにおいて、仮想回線又は、接続が２つのエンドポイント間に確立されて、パケットは送信されたのと同じ順序で配信される。
【００２４】
ＩＰネットワークなどのパケット交換ネットワーク上に通話セッションを確立するために、セッション・イニシエーション・プロトコル（Ｓｅｓｓｉｏｎ　Ｉｎｉｔｉａｔｉｏｎ　Ｐｒｏｔｏｃｏｌ）（ＳＩＰ）に従ったコントロールメッセージが使用されてもよい。ＳＩＰは、インターネット・エンジニアリング・タスク・フォース（Ｉｎｔｅｒｎｅｔ　Ｅｎｇｉｎｅｅｒｉｎｇ　Ｔａｓｋ　Ｆｏｒｃｅ）（ＩＥＴＦ）によるマルチメディアデータ及びコントロールアーキテクチャの一部である。ＳＩＰのバージョンは、１９９９年８月に、「ＳＩＰ：セッション・イニシエーション・プロトコル（Ｓｅｓｓｉｏｎ　Ｉｎｉｔｉａｔｉｏｎ　Ｐｒｏｔｏｃｏｌ）」と題されて、ＲＦＣ２５４３に説明されている。ＳＩＰが使用されて、電子メール，ニュースグループ，ウェブページ，及び他のメカニズムなどのいくつかの他のメカニズムによって広告されていたかもしれないセッションにメンバを招待するのみならず、通話セッションを開始してもよい。ＩＥＴＦのマルチメディア及びコントロールアーキテクチャにおける他のプロトコルは、ＲＦＣ２２０５に記載されるような、ネットワークリソースを予約するためのリソース・リザベーション・プロトコル（Ｒｅｓｏｕｒｃｅ　Ｒｅｓｅｒｖａｔｉｏｎ　Ｐｒｏｔｏｃｏｌ）（ＲＳＶＰ），ＲＦＣ１８８９に記載されるような、リアルタイムのデータを転送し、サービス品質（ＱｏＳ）のフィードバックを提供するためのリアルタイム転送プロトコル（Ｒｅａｌ−Ｔｉｍｅ　Ｔｒａｎｓｐｏｒｔ　Ｐｒｏｔｏｃｏｌ）（ＲＴＰ）と、ＲＦＣ２３２６に記載されるような、ストリーミングメディアの配信を制御するためのリアルタイム・ストリーミング・プロトコル（Ｒｅａｌ−Ｔｉｍｅ　Ｓｔｒｅａｍｉｎｇ　Ｐｒｏｔｏｃｏｌ）（ＲＴＳＰ）と、ＲＦＣ２３２７に記載されるような、マルチメディアセッションを記述するためのセッション記述プロトコル（Ｓｅｓｓｉｏｎ　Ｄｅｓｃｒｉｐｔｉｏｎ　Ｐｒｏｔｏｃｏｌ）（ＳＤＰ）と、ＲＦＣ２９７４に記載されるような、マルチキャストによってマルチメディアセッションを広告するためのセッション・アナウンスメント・プロトコル（Ｓｅｓｓｉｏｎ　Ａｎｎｏｕｎｃｅｍｅｎｔ　Ｐｒｏｔｏｃｏｌ）（ＳＡＰ）とを含んでいる。
【００２５】
その他の規格は、データネットワーク３２上でパケット交換通話を確立するためのさらなる実施形態において採用されてもよい。このような他の規格は、データネットワーク３２上にインタアクティブかつリアルタイムの音声又は他のストリーミング通信を提供する全ての規格であってもよい。もう１つの規格は国際電気通信連合（Ｉｎｔｅｒｎａｔｉｏｎａｌ　Ｔｅｌｅｃｏｍｍｕｎｉｃａｔｉｏｎ　Ｕｎｉｏｎ）（ＩＴＵ）によるＨ．３２３Ｒｅｃｏｍｍｅｎｄａｔｉｏｎである。さらに、さらなる実施形態において、ＡＴＭ又は他の接続形データネットワーク３２上の通話セッションに対するコントロールシグナリングを画定するプロトコルが採用されてもよい。
【００２６】
ここで使用されるような「通話セッション」は、一般的に、データネットワーク３２に連結された２つ以上のネットワーク要素間で確立される音声，ビデオ，又は他のリアルタイムかつインタラクティブセッションのいずれかを指している。ネットワーク要素は、端末４０又は４２などの、データネットワーク３２に連結される端末を含んでいてもよい。通話セッションに関するもう１つの端末は、ＰＳＴＮ１６に連結される電話である。データネットワーク３２上の通話セッションに関するもう１つの端末は、基地局１８とＳＧＳＮ３５とによって提供される無線インフラ上で通信する移動局２０の１つである。ここで使用されるような「パケット交換通話」又は「パケット交換通話セッション」は、音声やビデオなどのリアルタイムデータの交換に関するパケット交換データネットワーク３２上で確立される通話セッションを指している。より一般的には、「パケットベースの通話（パケット系通話）」又は「パケットベースの通話セッション」はいかなるタイプのパケットベースのデータネットワーク３２（コネクションレス又は接続形ネットワークのいずれか）上にも確立される通話セッションに言及している。明確な説明において、パケット交換通話について参照される。しかしながら、さらなる実施形態において、いかなるタイプのパケットベースの通話も実行されてよい。
【００２７】
移動局２０がデータネットワーク３２上で別の端末（例えば、４０，４２）とのパケット交換通話を確立するための１つの技術は、データネットワーク３２上で使用され、かつ、端末４０，４２及びメディアゲートウェイ３３によって可能にされる通話コントロールプロトコルに従って通話コントロールシグナリングを送ることである。このような通話コントロールプロトコルの１つは、ＳＩＰである。Ｈ．３２３などの他のパケット交換通話コントロールプロトコルはさらなる実施形態において採用されてよい。通話コントロールシグナリングは、（基地局１８，基地局コントローラ１１，及びＳＧＳＮ３５を含む）無線アクセスネットワークを介して通信される。基地局１８及び基地局コントローラ１１は、総称的に、無線ネットワークコントローラ（ＲＮＣ）と称される。無線アクセスネットワークは、ＥＧＰＲＳ又はＥＧＰＲＳ　ＣＯＭＰＡＣＴプロトコルに従って動作するＧＳＭ／ＥＤＧＥ無線アクセスネットワーク（ＧＥＲＡＮ）であってもよい。或いはまた、無線アクセスネットワークは、Ｗ−ＣＤＭＡプロトコルに従ったＵＭＴＳ（ユニバーサルモバイルテレコミュニケーションシステム（Ｕｎｉｖｅｒｓａｌ　Ｍｏｂｉｌｅ　Ｔｅｌｅｃｏｍｍｕｎｉｃａｔｉｏｎ　Ｓｙｓｔｅｍ））地上無線アクセスネットワーク（ＵＴＲＡＮ）であってもよい。
【００２８】
無線アクセスネットワークを介して通信される通話コントロールシグナリングは、ＧＧＳＮ３６によってＣＳＣＦモジュール４１に転送される。通話コントロールシグナリングは、ＣＳＣＦモジュール４１によって受信され、通話セッションは、通話セットアップ手順が実行された後に確立される。宛先端末がＰＳＴＮ１６に連結される場合、ＭＧＣＦモジュール３９は、また、通話セットアップ手順に含められる。
【００２９】
一般的なＳＩＰ通話セットアップシーケンスにおいて、ＳＩＰメッセージは、テキスト又はＡＳＣＩＩ系であり、ＩＰヘッダ並びにＵＤＰ（ユーザデータグラムプロトコル（Ｕｓｅｒ　Ｄａｔａｇｒａｍ　Ｐｒｏｔｏｃｏｌ））ヘッダを含むＩＰパケットにおいて搬送されるため、ＳＩＰ通話コントロールメッセージのメッセージサイズは、非常に大きい。ＵＤＰは、１９８０年８月に、「ユーザデータグラムプロトコル（Ｕｓｅｒ　Ｄａｔａｇｒａｍ　Ｐｒｏｔｏｃｏｌ）」と題されて、ＲＦＣ７６８に記載されており、ＩＰネットワーク上のネットワーク要素間の接続を管理するためのトランスポート層を提供する。
【００３０】
通話セットアップ，通話解除，及び補助的サービスを実行するためのＳＩＰメッセージの比較的大きなメッセージサイズのために、無線アクセスネットワーク上でこのようなメッセージを通信したり、通話セットアップ，通話リリース，及び補助的サービスを実行したりするための効率的なメカニズムが本発明のいくつかの実施形態に従って提供される。１つの実施形態において、無線ネットワーク上のＳＩＰ通話セットアップ時間は、一般的に、ＧＳＭ回線交換無線ネットワークにおいて実行される通話セットアップ時間に相当する。
【００３１】
１つの実施形態において、新たなＭＳ（基地局）コードが、ランダムアクセスチャネル（ＲＡＣＨ），パケットランダムアクセスチャネル（ＰＲＡＣＨ），及びＣＯＭＰＡＣＴパケットランダムアクセスチャネル（ＣＰＲＡＣＨ）に対して定義される。ＲＡＣＨ，ＰＲＡＣＨ，又はＣＰＲＡＣＨは基地局によって使用されて、無線アクセスネットワークへのアクセスを要求する。ＲＡＣＨ，ＰＲＡＣＨ，及びＣＰＲＡＣＨチャネルの様々なものは無線アクセスネットワークのタイプによって採用される。ＲＡＣＨは、ＧＳＭ無線アクセスネットワークにおいて使用され、ＰＲＡＣＨは、ＥＧＰＲＳ無線アクセスネットワークにおいて使用され、ＣＰＲＡＣＨは、ＥＧＰＲＳ　ＣＯＭＰＡＣＴ無線アクセスネットワークにおいて使用される。ＭＳコードは、ＲＡＣＨ，ＰＲＡＣＨ，及びＣＰＲＡＣＨのどれが使用されるかに依存して、８ビット又は１１ビットワイドであり得る。
【００３２】
１つの実施形態において、ＲＡＣＨバーストで搬送される８ビットのＭＳコードは、コードＡＦ８，ＡＦ７，ＡＦ６，ＡＦ５，ＡＦ４，ＡＦ３，ＡＦ２，及びＡＦ１を表し、ＡＭＲ（適合マルチ―レート）フルレートパケット交換音声通話を発信するためのコードＡＦ［８：１］と、ＡＭＲハーフレートパケット交換音声通話を発信するためのコードＡＨ［８：１］と、フルレートパケット交換ページング音声通話に応答するためのコードＢＦ［８：１］と、ＡＭＲハーフレートパケット交換ページング音声通話に応答するためのコードＢＨ［８：１］とを含んでいる。
【００３３】
類似の８ビットＭＳコードは、ＰＲＡＣＨに対して画定され、ＡＭＲフルレートパケット交換音声通話を発信するためのコードＣＦ［８：１］と、ＡＭＲハーフレートパケット交換音声通話を発信するためのコードＣＨ［８：１］と、ＡＭＲフルレートパケット交換ページング音声通話に応答するためのコードＤＦ［８：１］と、ＡＭＲハーフレートパケット交換ページング音声通話に応答するためのコードＤＨ［８：１］とを含んでいる。同様に、１１ビットＭＳコードは、ＰＲＡＣＨ及びＣＰＲＡＣＨに対して定義される。２つの異なるトレーニングシーケンスＴＳ１及びＴＳ２が、移動局２０と基地局１８との間のＵｍリンク上の異なる変調スキームに対して使用される。定義された１１ビットＭＳコードは、ＡＭＲフルレートパケット交換音声通話を発信するためのＴＳ１　ＥＦ［８：１］又はＴＳ２　ＧＦ［８：１］，ＡＭＲハーフレートパケット交換音声通話を発信するためのＴＳ１　ＥＨ［８：１］又はＴＳ２　ＧＨ［８：１］，ＡＭＲフルレートパケット交換ページング音声通話に応答するためのＴＳ１　ＦＦ［８：１］又はＴＳ２　ＨＦ［８：１］，及びＡＭＲハーフレートパケット交換ページング音声通話に応答するためのＴＳ１　ＦＨ［８：１］又はＴＳ２　ＨＨ［８：１］である。
【００３４】
種々の実施形態において様々なサービスを提供するために様々なコードが定義され得るので、上記のコードは、例示目的のためにのみ提供される。
【００３５】
移動局２０は、ＲＡＣＨメッセージを通信し、通話を開始し、又はページに応答するためにチャネル要求を実行する。チャネル要求は、また、システムのタイプによっては、ＰＲＡＣＨ又はＣＰＲＡＣＨバーストによって実行されてもよい。ここで使用されるような「ランダムアクセスチャネル」は、一般的に、ＲＡＣＨ，ＰＲＡＣＨ，又はＣＰＲＡＣＨのいずれか１つを指している。所望の通話がパケット交換通話である場合には、ＲＡＣＨメッセージは、上記の定義されたコードのうちの１つを含んでいる。パケット交換通話コードを含むＲＡＣＨメッセージに応答して、無線ネットワークコントローラ又はＳＧＳＮ３５は、所定の論理チャネル組み合わせ及び物理チャネルを割り当て、パケット交換通話を実行する。論理チャネル組み合わせは、図２と関連して以下に説明され、物理チャネルは、フレームタイムスロットと、移動局に割り当てられたキャリア周波数とに言及している。
【００３６】
いくつかの実施形態に従って、ＳＩＰメッセージ（及び他の通話コントロールメッセージ）は、ＥＧＰＲＳ又はＥＧＰＲＳ　ＣＯＭＰＡＣＴによって定義されるような、専用のパケットデータトラフィックチャネル（ＰＤＴＣＨ）バーストにおいて搬送される。一例のＰＤＴＣＨバースト１５０は、図６に示されている。専用の物理チャネルにマッピングされたＰＤＴＣＨを使用してＳＩＰメッセージを搬送することによって、パケット交換通話セットアップシーケンスに対する時間は、ＧＳＭ回線交換通話セットアップシーケンスの時間に相当するものとなる。専用の物理チャネルにマッピングされたＰＤＴＣＨを使用してＳＩＰメッセージを搬送することのさらなる利点は、メッセージが、ＧＥＲＡＮなどの無線アクセスネットワークにトランスペアレントであることである。すなわち、専用のＰＤＴＣＨバーストにおいて搬送されるＳＩＰメッセージは、トラフィックとして扱われ、無線アクセスネットワークによって処理されない。物理チャネルは、それが所与の移動局による使用に割り当てられる場合には、物理チャネルは、「専用」であり、所与の移動局に割り当てられている間においては別の移動局と共有されない。
【００３７】
図２を参照すると、１つの実施形態に従って、ＧＥＲＡＮにおける新たな論理チャネル組み合わせが定義される。論理チャネル組み合わせは、以下を含んでいる。
ＴＣＨ＋ＦＡＣＣＨ＋ＳＡＣＣＨ＋ＰＤＴＣＨ＋ＰＡＣＣＨ＋ＰＴＣＣＨ
【００３８】
ＴＣＨは、最適化音声ベアラに対する音声ベアラデータを搬送するために使用される（ＰＤＴＣＨと同じ専用の物理チャネルにマッピングされた）論理チャネルである。ＦＡＣＣＨは、ファースト関連コントロールチャネルである。ＳＡＣＣＨは、スロー関連コントロールチャネルである。ＰＡＣＣＨは、パケット関連コントロールチャネルである。ＰＴＣＣＨは、パケットタイミングコントロールチャネルである。上述のように、ＲＳＶＰメッセージ１０２，ＲＴＣＰメッセージ１０４，及びＤＴＭＦ（二重トーンマルチ周波数）メッセージ１０６などの他のコントロールメッセージに伴うＳＩＰメッセージ１００は、専用のＰＤＴＣＨバースト１０８において搬送される。他の実施形態においては、専用の物理チャネルを使用することに代えて、ＰＤＴＣＨが、ポストダイアル遅延時間の増加によって、共有された物理チャネル（共有されたタイムスロット又はフレームのタイムスロット）上で搬送される。
【００３９】
最適化音声ベアラ配置と称される１つのアレンジメントにおいて、音声フレーム１１０は、専用のトラフィックチャネル（ＴＣＨ）バースト１１２において搬送される。さらに、無線ネットワーク上を不感期間中に送信されるＳＩＤ（サイレンス記述子）フレーム１１４は、また、ＴＣＨバースト１１２において搬送される。別のアレンジメントにおいては、ＴＣＨバースト１１２の音声フレーム１１０及びＳＩＤフレーム１１４を搬送することに代えて、音声フレーム１１０及びＳＩＤフレーム１１４は、ＰＤＴＣＨバースト１０８において搬送される。この別のアレンジメントは、共有配置と称される。
【００４０】
無線リソース（ＲＲ）管理メッセージ１１６は、ＰＡＣＣＨバースト１１８，ＳＡＣＣＨバースト１２０，又はＦＡＣＣＨバースト１２２において搬送される。ＰＡＣＣＨバースト１１８が使用されて、通話セットアップ中にＲＲメッセージ１１６を搬送する。ＳＡＣＣＨバースト１２０及びＦＡＣＣＨバースト１２２は、通話セッション中に、通話セットアップ後の関連コントロールメッセージを搬送する。タイミング前進／後退メッセージ１２４は、ＰＴＣＣＨバースト１２６において搬送される。このようなメッセージは、無線アクセスネットワークにとってトランスペアレントではない。別の実施形態において、ＲＲメッセージ１１６のいくつかはまた専用のＰＤＴＣＨバースト１０８において搬送されてもよい。
【００４１】
無線アクセスネットワークがＵＴＲＡＮである場合には、（転送チャネル組み合わせと称される）もう１つの論理組み合わせが定義され、上記のメッセージ及び信号をＵＴＲＡＮ専用の物理チャネルにマッピングする。ＳＩＰ，ＲＳＶＰなどのパケット交換通話コントロール信号は、音声ベアラデータに割り当てられる以外の、異なるチャネル化コード及び／又はスクランブルシーケンスを割り当てられる。
【００４２】
１つの実施形態において、第１のグループ（例えば、ＲＢ５〜３１）及び第２のグループ（例えば、ＲＢ０〜４、或いはシグナリングＲＢ又はＳＲＢとして知られる）という無線ベアラ（ＲＢ）の２つのグループが定義される。第１のグループのＲＢが使用されて、一次パケットデータプロトコル（Ｐａｃｋｅｔ　Ｄａｔａ　Ｐｒｏｔｏｃｏｌ）（ＰＤＰ）コンテキストに付されるデータを通信する。ＰＤＰコンテキストは、以下の情報を含んでいてもよい。ＰＤＰタイプは、特定されて、パケットデータプロトコルとしてＩＰ，Ｘ．２５，又はＰＰＰ（ポイント・トゥ・ポイントプロトコル（Ｐｏｉｎｔ−ｔｏ−Ｐｏｉｎｔ　Ｐｒｏｔｏｃｏｌ））を識別できる。ＰＤＰアドレスは、また、それが所与のフローに対して要求又はナビゲートされるＱｏＳプロフィールを識別するサービス品質（ＱｏＳ）プロフィールであるため、ＰＤＰコンテキストに含まれている。通信セッションが最初に確立されると、デフォルトＱｏＳプロフィールを含む一次ＰＤＰコンテキストが起動される。
【００４３】
第１のグループのＲＢが使用されて、一次ＰＤＰコンテキストにおいて特定されるＱｏＳに付されるデータを搬送し、第２のグループのＲＢ（ＳＲＢ）が使用されて、既に予約されたＱｏＳ要件によってシグナリングデータを搬送する。従って、図２の例において、ＰＤＴＣＨバースト１０８及びＴＣＨバースト１１２は、第１のグループのＲＢにおいて搬送され、コントロールシグナリング（ＲＲメッセージ１１６及びタイミング前進／後退メッセージ１２４）は、第２のグループのＲＢ（ＳＲＢ）において搬送される。
【００４４】
フルレート通話又はハーフレート通話のいずれがセットアップされるのかによって、以下の論理チャネル組み合わせのうちの１つが割り当てられる。
ＴＣＨ／Ｆ＋ＦＡＣＣＨ／Ｆ＋ＳＡＣＣＨ／Ｆ＋ＰＤＴＣＨ／Ｆ＋ＰＡＣＣＨ／Ｆ＋ＰＴＣＣＨ（フルレート通話），及び
ＴＣＨ／Ｈ＋ＦＡＣＣＨ／Ｈ＋ＳＡＣＣＨ／Ｈ＋ＰＤＴＣＨ／Ｈ＋ＰＡＣＣＨ／Ｈ＋ＰＴＣＣＨ（ハーフレート通話）
【００４５】
ＰＴＣＣＨバーストは、１６個の２６マルチフレームごとに送信又は構成される必要があるに過ぎない。マルチフレームが使用されて、移動局と基地局との間でコントロール及びトラフィックシグナリングを通信する。１つのアレンジメントにおいて、各マルチフレームは、５２個のフレームを含んでおり、各フレームは、８個のタイムスロットを含んでいる。マルチフレームは、フレームＦＮ０で開始し、フレームＦＮ５１で終了する。４個のフレームで１つのブロックを構成する。いくつかの実施形態において、ＰＴＣＣＨは必要とされなくてもよい。また、いくつかの実施形態において、ＦＡＣＣＨとＰＡＣＣＨの両方が必要とされなくてもよい（一方又は他方で十分である）。
【００４６】
パケットベースのコントロールシグナリングを搬送するために、専用の物理チャネルにマッピングされたＰＤＴＣＨと、音声ベアラデータを搬送するために、同じ物理チャネルにマッピングされたＴＣＨとを使用することによって、効率的なメカニズムが提供されて、ＧＥＲＡＮ又はＵＴＲＡＮなどの無線アクセスネットワーク上でパケット交換通話セッションをセットアップ又は解除する。
【００４７】
図３を参照すると、パケット交換データネットワーク３２上で移動局２０と端末（例えば、４０，４２，又は３３）との間でパケット交換通話をセットアップするための簡略化されたメッセージフローが図示されている。図７Ａ〜図７Ｃは、より詳細な通話セットアップフローを記載している（以下参照）。図３は、移動局と無線ネットワークコントローラ（ＲＮＣ）との間のメッセージの交換を示している。ＲＮＣは、コントロールメッセージをＳＧＳＮ３５に転送する。無線アクセスネットワークに関するコントロールメッセージは、ＳＧＳＮ３５によって処理され、ＳＩＰメッセージは、データネットワーク３２に通信され、ＳＩＰプロキシ、及び通話に関連する１つ以上の端末によって処理される。
【００４８】
１つの実施形態に従って、通話を開始するために、移動局２０は、（２０２において）ＲＡＣＨバーストをＲＮＣに送り、チャネル要求を実行する。移動局２０は、また、ＲＡＣＨバーストを送ってページに応答する。パケット交換通話のために、ＲＡＣＨは、上記のパケット交換ＭＳコードのうちの１つを含んでいる。ＲＡＣＨに代わって、ＰＲＡＣＨ又はＣＰＲＡＣＨバーストもまた使用されてもよい。これに対して、ＲＮＣは、（２０４において）アクセス許可チャネルを介して、パケット交換通話のための論理チャネル組み合わせ及び物理チャネルの割り当てをサポートすることができる専用の物理的トラフィックチャネル又はタイムスロットを通信する。論理チャネル組み合わせの割り当てによって、移動局２０が、専用の物理チャネルにマッピングされたＰＤＴＣＨを使用してＳＩＰメッセージの通信を実行することができる。
【００４９】
次に、移動局は、（２０６において）、関連ＩＰ及びＵＤＰヘッダによってＩＰパケットに含まれるような、ＳＩＰ　Ｉｎｖｉｔｅ要求を含む初期ＰＤＴＣＨバーストを送る。Ｉｎｖｉｔｅ要求は、通話中の端末の宛先アドレスを含んでおり、通話先端末が通話セッションへの参加を招待されていることを示す。ＲＮＣは、バーストをＳＧＳＮ３５に送り、ＳＧＳＮ３５は、ＩＰパケットに含まれるＳＩＰ　ＩｎｖｉｔｅメッセージをＧＧＳＮ３６を介してＣＳＣＦモジュール４１に送る。Ｉｎｖｉｔｅ要求は、ＣＳＣＦモジュール４１によって処理され、ＣＳＣＦモジュール４１は、Ｉｎｖｉｔｅ要求に含まれる論理アドレスを解析し、通話先端末の位置を識別する。宛先端末の位置によって、ＣＳＣＦモジュール４１は、シグナリングを生成し、データネットワーク３２上、又はＰＳＴＮ１６上に通話を確立する。
【００５０】
ＳＩＰ　Ｒｉｎｇｉｎｇ応答は、それが一旦ロケートされてＩｎｖｉｔｅ要求を受信すると、通話先端末から返送される。Ｒｉｎｇｉｎｇ応答は、（２０８において）もう１つのＰＤＴＣＨバーストにおけるＲｉｎｇｉｎｇ応答を移動局２０に送信するＣＳＣＦモジュール４１，ＧＧＳＮ３６，ＳＧＳＮ３５，及びＲＮＣを介して通信して返される。通話が通話先端末によって受信されると、通話先端末はＳＩＰ　ＯＫ応答を返送し、これは、ＰＤＴＣＨバーストにおいて（２１０において）基地局によって転送される。ＯＫ応答に応答して、移動局は、（２１２において）ＳＩＰ　ＡＣＫメッセージを搬送するＰＤＴＣＨバーストを送り、ＯＫ応答を認識する。この時点で、通話はセットアップされており、音声又は他のリアルタイムデータの通信が進められる。さらに、ＰＡＣＣＨにおいて搬送されるＲＲ管理シグナリングは、隣接するセル信号強度測定を実行するように、（２１４において）移動局とＲＮＣとの間で交換される。
【００５１】
さらに、最適化音声ベアラに対して、移動局とＲＮＣの双方によるＲＴＰ／ＵＤＰ／ＩＰヘッダの構築に使用されるあるパラメータ（例えば、ＵＤＰポート番号、ＩＰ宛先アドレスなど）がＰＡＣＣＨバーストのアップリンク及びダウンリンクの双方に送信される。
【００５２】
図４を参照すると、ＲＴＰ通話セッションなどの通話セッションが上記のメカニズムを使用して（３０２において）セットアップされると、関連端末のうちの１つが通話（コール）を解除できる。図４の例において、移動局は、通話の解除を開始できる。そうするために、移動局は、（３０４において）ＳＩＰ　Ｂｙｅメッセージを搬送するＰＤＴＣＨバーストをＲＮＣに送り、ＲＮＣは、ＰＤＴＣＨバーストをＳＧＳＮ３５に転送する。Ｂｙｅ要求は、ＣＳＣＦモジュール４１によって処理され、ＣＳＣＦモジュール４１は、Ｂｙｅ要求を目的端末に転送する。目的端末は、ＳＩＰ　ＯＫ応答をＣＳＣＦモジュール４１とＧＧＳＮ３６とを介してＳＧＳＮ３５に返送する。ＯＫ応答は、ＲＮＣに通信され、ＲＮＣは、ＰＤＴＣＨバーストにおけるＯＫ応答を（３０６において）移動局に通信する。ＲＮＣからのＯＫメッセージの受信に続いて、移動局は、（３０８において）適切なＲＲ管理シグナリングでＰＡＣＣＨバーストを送り、無線アクセスネットワークに対して、通話セッションが終了したことを示す。これによって、無線アクセスネットワークは、他の通話に対する通話セッション中に使用されたチャネルを解放する。
【００５３】
通話のセットアップ及び解除に加えて、ＰＤＴＣＨバーストがまた使用されて、通話保留，複数の相手との会議などの補助的サービスを実行するためのＳＩＰシグナリングを搬送する。図５を参照すると、通話保留シーケンスの一例が図示されている。ＲＴＰ通話セッションが（４０２において）、無線アクセスネットワークを介して移動局とリモート局との間で確立される。リモート端末は、移動局を保留にし、これは（４０４において）ｃ＝０（すなわち、ＩＰアドレスがある例示的配置において０．０．０．０である）でＳＩＰ　Ｉｎｖｉｔｅ要求を送ることによって実現される。これはＰＤＴＣＨバーストにおいて、ＲＮＣから移動局に搬送される。移動局は、ＯＫメッセージを有するＩｎｖｉｔｅ要求が４０６でＰＤＴＣＨバーストにおいて基地局に送り返され、また無線アクセスネットワーク及びデータネットワーク３２を介してリモート端末に転送されることを認識する。次いでリモート端末はＳＩＰ　ＡＣＫメッセージを返送し、これは、ＲＮＣによって、ＡＣＫメッセージを搬送するＰＤＴＣＨメッセージにおいて（４０８において）移動局に通信される。この時点において、ＲＴＰ通話セッションは、（４１０において）中断される。
【００５４】
一旦、リモート端末が移動局を保留にする用意ができると、（実際のＩＰアドレスを含む）もう１つのＩｎｖｉｔｅ要求を送り、これは、（４１２において）ＰＤＴＣＨバーストにおいて基地局によって移動局に転送される。移動局は、（４１４において）ＰＤＴＣＨバーストにおいて搬送されるＯＫ要求を返送する。ＯＫ応答を受信すると、リモート端末はＡＣＫ要求を送り、これは、（４１６において）ＰＤＴＣＨバーストにおいて基地局によって通信される。この時点で、（４１８において）ＲＴＰ通話セッションは再確立される。
【００５５】
図７Ａ乃至７Ｃを参照すると、移動局と、データネットワーク３２に連結されたエンドポイントとの間で通話セットアップを実行するためのより詳細なメッセージフローが図示されている。移動局は、最初に、（６０２において）無線リソースコントロール（ＲＲＣ）接続セットアップと（６０４において）ＲＮＣによってＩｕシグナリング接続セットアップとを実行する。次に、移動局は、（６０６において）ＧＰＲＳアタッチ手順を実行する。アタッチ手順が実行されて、移動局が使用可能であることを無線アクセスネットワークに知らせる。一次ＰＤＰコンテキストを起動するために、移動局は、（６０８において）Ａｃｔｉｖａｔｅ　ＰＤＰ　Ｃｏｎｔｅｘｔ要求をＲＮＣに送り、ＲＮＣは（６１０において）要求をＳＧＳＮ３５に転送する。これに応答して、ＳＧＳＮ３５は無線アクセスベアラ割当手順を（６１２において）実行し、１つ以上の無線アクセスベアラを移動局に割り当てる。
【００５６】
一旦、１つ以上の無線ベアラがセットアップされると、ＳＧＳＮ３５は、（６１４において）Ｃｒｅａｔｅ　ＰＤＰ　Ｃｏｎｔｅｘｔ要求をＧＧＳＮ３６に送る。ＧＧＳＮ３６は、Ｃｒｅａｔｅ　ＰＤＰ　Ｃｏｎｔｅｘｔ要求によって（６１６において）ＳＧＳＮ３５に応答する。ＳＧＳＮ３５がＣｒｅａｔｅ　ＰＤＰ　Ｃｏｎｔｅｘｔ応答を受信すると、ＳＧＳＮ３５は、Ａｃｔｉｖａｔｅ　ＰＤＰ　Ｃｏｎｔｅｘｔ　Ａｃｃｅｐｔメッセージを（６１８において）ＲＮＣに送り、ＲＮＣは、Ａｃｃｅｐｔメッセージを（６２０において）移動局に転送する。この時点で、一次ＰＤＰコンテキストは起動されており、無線ベアラが割り当てられている。この時点までに、６０２乃至６２０で実行された手順は、移動局，ＲＮＣ，ＳＧＳＮ３５，及びＧＧＳＮ３６において実行された一般的なセットアップ手順に従う。
【００５７】
一旦、一次ＰＤＰコンテキストが確立されると、ＰＤＴＣＨバーストが使用されて、ＳＩＰシグナリング及び他のシグナリングを含む種々のタイプのコントロールシグナリングを搬送できる。例えば、後述のように、移動局は、移動局がＤＨＣＰ（ダイナミック・ホスト・コンフィギュレーション・プロトコル（Ｄｙｎａｍｉｃ　Ｈｏｓｔ　Ｃｏｎｆｉｇｕｒａｔｉｏｎ　Ｐｒｏｔｏｃｏｌ））サーバからの構成情報を含んでいる、Ｄｙｎａｍｉｃ　Ｈｏｓｔ　Ｃｏｎｆｉｇｕｒａｔｉｏｎ　Ｐｒｏｔｏｃｏｌ（ＤＨＣＰ）を（６２４において）実行できる。構成情報は移動局のＩＰアドレスを含んでいる。ＤＨＣＰは、１９９３年１０月に、「動的ホスト構成プロトコル（Ｄｙｎａｍｉｃ　Ｈｏｓｔ　Ｃｏｎｆｉｇｕｒａｔｉｏｎ　Ｐｒｏｔｏｃｏｌ）」と題されて、ＲＦＣ１５４１に説明されている。ＤＨＣＰメッセージは、いくつかの実施形態に従って、移動局とＲＮＣとの間でＰＤＴＣＨバーストにおいて搬送される。
【００５８】
ＤＨＣＰ手順６２４中、移動局は、ＣＳＣＦモジュール４１のドメイン名を受信する。ＣＳＣＦモジュール４１のＩＰアドレスを発見するために、移動局は、（６２６において）ＤＮＳ−ＱｕｅｒｙをＤＮＳサーバに送る。これに応答して、ＤＮＳサーバは、（６２８において）ＣＳＣＦモジュール４１のＩＰアドレスを含むＤＮＳ−Ｒｅｓｐｏｎｓｅを移動局に送り返す。ＤＮＳ−Ｑｕｅｒｙ及びＤＮＳ−Ｒｅｓｐｏｎｓｅメッセージは、いくつかの実施形態に従ってＰＤＴＣＨバーストにおいて搬送される。
【００５９】
ＳＩＰを使用する通話確立を可能にするために、ＳＩＰ　Ｒｅｇｉｓｔｅｒ要求が一般的に通信される。ＳＩＰ　Ｒｅｇｉｓｔｅｒ要求は、例えば、既知の「全ＳＩＰサーバ」マルチキャストアドレス「ｓｉｐ．ｍｃａｓｔ．ｎｅｔ」に送られてもよい。しかしながら、ＣＳＣＦモジュール４１のアドレスが既知であるために、移動局は、ＳＩＰ　Ｒｅｇｉｓｔｅｒ要求を（６３０において）ＣＳＣＦモジュール４１に送る。Ｒｅｇｉｓｔｅｒ要求は、その登録が作成又は更新される記録アドレス（ａｄｒｅｓｓ　ｏｆ　ｒｅｃｏｒｄ）を含む「Ｔｏ」フィールドと、登録を担うエンティティの記録アドレス（ａｄｒｅｓｓ　ｏｆ　ｒｅｃｏｒｄ）を含む「Ｆｒｏｍ」フィールドと、登録要求の宛先を意味する「Ｒｅｑｕｅｓｔ　ＵＲＩ」フィールドとを含む、複数のフィールドを含んでいてもよい。ＳＩＰ　Ｒｅｇｉｓｔｅｒ要求に応答して、ＣＳＣＦモジュール４１は、移動局の位置を登録し、ＳＩＰ　ＯＫ応答を（６３２において）移動局に送り返す。
【００６０】
この時点で、移動局は、ＳＩＰ　Ｉｎｖｉｔｅ要求を（６３４において）ＣＳＣＦモジュール４１に送る移動局によって開始される通話セットアップを実行することができる。いくつかの実施形態において、Ｉｎｖｉｔｅ要求は、専用のＰＤＴＣＨバーストにおいて、基地局とＲＮＣの間で通信される。ＣＳＣＦモジュール４１は、（６３６において）ＳＩＰ　Ｉｎｖｉｔｅ要求をメディアゲートウェイ３３（図１）又は他のエンドポイントであってもよいデータネットワーク３２に連結されたネットワークエンドポイントに転送する。これに応答して、（本例においてはメディアゲートウェイとされる）ネットワークエンドポイントは、（６３８において）ＳＩＰ　１８３　Ｓｅｓｓｉｏｎ　Ｐｒｏｇｒｅｓｓメッセージを送り、ネットワークエンドポイントが通話要求に応答するのに十分なリソースを有していることを示す。ＳＩＰ　１８３　Ｓｅｓｓｉｏｎ　Ｐｒｏｇｒｅｓｓメッセージが（６４０において）ＣＳＣＦモジュール４１によって移動局に転送される。ＲＮＣと移動局との間で、ＳＩＰ　１８３　Ｓｅｓｓｉｏｎ　Ｐｒｏｇｒｅｓｓメッセージは、専用ＰＤＴＣＨバーストにおいて搬送される。
【００６１】
ＳＩＰ　１８３メッセージに応答して、移動局は、（６４２において）暫定許可（ＰＲＡＣＫ）応答をＣＳＣＦモジュール４１に送り返す。ＰＲＡＣＫ応答は、（６４４において）ネットワークエンドポイントに転送される。次いで、ネットワークエンドポイントは、（６４６において）２００ＯＫ応答をＣＳＣＦモジュール４１に送り返し、ＣＳＣＦモジュール４１は、（６４８において）２００ＯＫ応答を移動局に転送する。ＰＲＡＣＫ及びＯＫメッセージは、また、ＲＮＣと移動局との間を専用ＰＤＴＣＨバーストにおいて搬送される。
【００６２】
所望のサービス品質（ＱｏＳ）でダウンリンクフローを確立するために、ネットワークエンドポイントは、（６５０において）ＲＳＶＰ　ＰＡＴＨメッセージをＧＧＳＮ３６に送る。ＲＳＶＰ　ＰＡＴＨメッセージは、ネットワークエンドポイントによって生成されると予測されるトラフィックプロフィールを特定するＳｅｎｄｅｒ＿Ｔｓｐｅｃ情報を含んでいる。ＧＧＳＮ３６は、（６５２において）ＲＳＶＰ　ＰＡＴＨメッセージを移動局に転送する。いくつかの実施形態において、ＲＮＣと移動局との間で、ＲＳＶＰメッセージが専用ＰＤＴＣＨバーストにおいて搬送される。
【００６３】
移動局に対して既に確立されている一次ＰＤＰコンテキストがＲＳＶＰ　ＰＡＴＨメッセージにおいて要求されるＱｏＳを提供できない場合には、移動局は、二次ＰＤＰコンテキストを確立できる。一次ＰＤＰコンテキストによって、移動局は、必要ならば、様々なＱｏＳプロフィールを有する１つ以上の二次ＰＤＰコンテキストを起動できる。二次ＰＤＰコンテキストは、手順を起動し、無線アクセスベアラ割り当て及び無線ベアラセットアップ手順は、（６５４において）移動局とＧＧＳＮ３６との間で実行される。
【００６４】
所望のＱｏＳレベルを提供する二次ＰＤＰコンテキストが一旦確立されると、移動局は、（６５６において）、ＲＳＶＰ　ＰＡＴＨメッセージに応答してＲＳＶＰ　ＲＥＳＶメッセージを送る。ＲＳＶＰ　ＲＥＳＶメッセージは、ＧＧＳＮ３６によって受信され、ＧＧＳＮ３６は、（６５８において）ＲＳＶＰ　ＲＥＳＶメッセージをネットワークエンドポイントに転送する。再び、ＲＳＶＰ　ＲＥＳＶメッセージは、専用ＰＤＴＣＨバーストにおいて搬送される。
【００６５】
上記のＲＳＶＰプロセスは、また、所望のＱｏＳでアップリンクを確立するために逆方向において実行される。これは、（６５９において）移動局によって発信され送信されるＲＳＶＰ　ＰＡＴＨメッセージによって図示されている。これに応答して、ネットワークエンドポイントは、（６６０において）ＲＳＶＰ　ＲＥＳＶメッセージを送る。ダウンリンクＲＳＶＰプロセスに基づいて、二次ＰＤＰコンテキストを変更する手順は、また、必要ならば実行されてもよい。
【００６６】
次いで、移動局は、（６６１において）ＣＯＭＥＴメッセージをＣＳＣＦモジュール４１に送り、条件が満たされたことを示す。ＣＯＭＥＴメッセージは、（６６２において）ネットワークエンドポイントに転送される。これに応答して、ネットワークエンドポイントは、（６６４において）２００ＯＫメッセージをＣＳＣＦモジュール４１に送り、ＣＳＣＦモジュール４１は、（６６６において）２００ＯＫ応答を移動局に転送する。ＲＮＣと移動局との間で、ＣＯＭＥＴ及び２００ＯＫメッセージが専用ＰＤＴＣＨバーストにおいて搬送される。
【００６７】
この時点で、ネットワークエンドポイントは、移動局に応答する準備ができている。ＳＩＰ　１８０　Ｒｉｎｇｉｎｇ応答は、（６６８において）ＣＳＣＦモジュール４１に送られ、ＣＳＣＦモジュール４１は、（６７０において）Ｒｉｎｇｉｎｇ応答を移動局に転送する。次いで、ＰＲＡＣＫメッセージは、（６７２において）移動局からＣＳＣＦモジュール４１に送られ、ＣＳＣＦモジュール４１は、（６７４において）ＰＲＡＣＫメッセージをネットワークエンドポイントに転送する。これに応答して、ネットワークエンドポイントは、（６７６において）２００ＯＫ（ＰＲＡＣＫ）応答を返送し、これは、（６７８において）ＣＳＣＦモジュール４１によって移動局に転送される。これに続いて、ネットワークエンドポイントは、また、（６８０において）、６３４で通信されたＳＩＰ　Ｉｎｖｉｔｅ要求に応答する２００ＯＫを送る。２００ＯＫ応答は、（６８２において）ＣＳＣＦモジュール４１によって移動局に転送される。次いで、移動局は、（６８０において）ＳＩＰ　ＡｃｋメッセージをＣＳＣＦモジュール４１に送り返し、ＣＳＣＦモジュール４１は、（６８２において）Ａｃｋメッセージをネットワークエンドポイントに転送する。６６０と６８２との間で交換されたメッセージは、ＰＤＴＣＨバーストにおいて搬送される。
【００６８】
Ａｃｋ応答が受信されると、ＲＴＰベアラパスが、（６８４において）移動局とネットワークエンドポイントとの間でセットアップされる。音声及び他のリアルタイムトラフィックは、ＲＴＰベアラパス上で移動局とネットワークエンドポイントの間を搬送される。
【００６９】
以下は、ＧＳＭ回線交換通話に相当するいくつかの実施形態に従った技術を使用するパケット交換通話の性能について説明している。セルサイトを通るトラフィックフローは、特定の期間中の通話の回数Ｎと、通話の平均期間Ｔとの積として画定される。トラフィック理論において、一般的に考えられる時間の単位は、１時間という期間である。従って、通話回数Ｎは、着信率λ（単位時間あたりの通話回数）に関して表され、通話の平均期間Ｔは、通話あたりの単位時間に関して表される。（アーランによる）トラフィック強度Ａは以下によって与えられる。
Ａ＝λＴ／３６００
ここで、λは「最繁時あたりの通話」の単位であり、Ｔは「秒」の単位である。
【００７０】
４／１２周波数再使用パターンと１５ＭＨｚの帯域幅にとって、セクタあたりの次のチャネル数が使用可能である。
ＣＨ＝（１５０００ｋＨｚ）（８）／（１２）（２００ｋＨｚ）＝５０
【００７１】
ＧＳＭ回線交換通話セットアップシーケンスについて、（１つのタイムスロットを必要とする）論理チャネル組み合わせＶＩＩが使用されて、ＳＤＣＣＨの基本物理チャネルへのマッピングを支持する仮定する。
ＶＩＩ　ＳＤＣＣＨ／８（０．．．７）＋ＳＡＣＣＨ／８（０．．．７）
【００７２】
これに加えて、（これもまた１つのタイムスロットを必要とする）論理チャネル組み合わせＩＶがビーコンキャリアに使用される。
ＩＶ　ＦＣＣＨ＋ＳＣＨ＋ＢＣＣＨ＋ＣＣＣＨ
【００７３】
従って、ＧＳＭ回線交換通話セットアップシーケンスについて、４／１２周波数再使用パターンと１５ＭＨｚの帯域幅に対する、セクタあたりのチャネル数は４８である。
【００７４】
ＳＩＰ通話セットアップシーケンスについて、（１つのタイムスロットを必要とする）論理チャネル組み合わせＩＶ又は（１つのタイムスロットを必要とする）ＸＩが、ビーコンキャリア又はＣＯＭＰＡＣＴ　ＣＰＢＣＣＨキャリアのいずれかに使用されると仮定する。
ＩＶ　ＦＣＣＨ＋ＳＣＨ＋ＢＣＣＨ＋ＣＣＣＨ
ＸＩ　ＰＦＣＣＨ＋ＰＳＣＨ＋ＣＰＢＣＣＨ＋ＣＰＣＣＣＨ＋ＰＤＴＣＨ＋ＰＡＣＣＨ＋ＰＴＣＣＨ
【００７５】
従って、ＳＩＰ通話セットアップシーケンスについて、４／１２周波数再使用パターンと１５ＭＨｚの帯域幅に対する、セクタあたりのチャネル数は４９である。
【００７６】
いくつかの例において、いくつかの実施形態に従ってＳＩＰを使用してパケット交換通話セットアップ手順を実現するシステムは、後述するようなＲＩＬ３―ＣＣ，ＲＩＬ３−ＭＭ，ＲＩＬ３−ＲＲ，及びＤＴＡＰを使用してＧＳＭ回線交換通話セットアップ手順を実現するシステムよりスペクトル的に効率的である。ブロッキングとは、少数のチャネルが使用可能になっていることに起因する通話の不能のことである。例えば、０．０２というブロッキング値は、試みられる通話１００あたり、２つの通話がブロッキングされることを意味している。表１は、例示的なアレンジメントにおける、一般的なＧＳＭ回線交換通話セットアップシーケンスと、一般的なＳＩＰ通話セットアップシーケンスとについてのブロッキング値の比較を示している。
【００７７】
【表１】
2004505521.tif 000003
【００７８】
従って、表１の例に示されるように、ＳＩＰを使用してパケット交換通話セットアップ手順を実現するシステムは、１２０秒より長い平均通話期間については、ＲＩＬ３−ＣＣ，ＲＩＬ３−ＭＭ，ＲＩＬ３−ＲＲ，及びＤＴＡＰを使用してＧＳＭ回線交換通話セットアップ手順を実現するシステムよりも僅かにスペクトル的に効率的であり得る。しかしながら、ＳＩＰ通話セットアップの利点は、ＳＩＰ通話セットアップに対する従来の無線リソース管理メッセージについて考えると、減少してしまう。また、二次ＰＤＰコンテキストの起動についていくらか余分な無線リソース管理シグナリングがある。
【００７９】
一般的なＳＩＰ通話セットアップ／通話解除シーケンスのスペクトル効率は、ＵＤＰ／ＩＰヘッダをＳＩＰ要求方式と、一般的なＳＩＰ通話セットアップ／通話解除シーケンス中に通信される応答コードとに圧縮することによってさらに改良される。また、スペクトル効率は符号化スキームＭＣＳ−２乃至ＭＣＳ−９を使用することによって改良される。最後に、単純なトークン技術が実現されると、ＳＩＰ要求方式及び応答コードのサイズは約１２％縮小される。
【００８０】
図８を参照すると、無線ネットワークコントローラ７００，データトラフィックサービスノード３５，及びモバイルユニット２０のコンポーネントが図示されている。このようなコンポーネントは、例示目的のものであり、本発明の範囲を限定するものではない。さらなる実施形態において、このようなコンポーネントの他のアーキテクチャも可能である。例えば、無線ネットワークコントローラ７００は、実際に、基地局及び基地局コントローラなどの複数のプラットフォームを含んでいてもよい。無線ネットワークコントローラ７００において、トランシーバ７２７は、キャリア２６を送受信するアンテナタワー７５４に接続されている。トランシーバ７２７は、種々のソフトウェアルーチン７４９が実行可能であるコントロールユニット７５０（又は複数のコントロールユニット）に接続されている。記憶ユニット７４７（又は複数の記憶ユニット）は、また、コントロールユニット７５０に接続されていてもよい。さらに、無線ネットワークコントローラ７００は、ＭＳＣに連結されているリンク７６４（例えばＴ１リンク）に連結されているＭＳＣインタフェース７５２を含んでいる。無線アクセスコントローラ７００はまたリンク（例えばＩｕ―ｐｓリンク）上でＳＧＳＮ３５に通信するための、（１つの実施形態においてはＥＧＰＲＳまたＥＧＰＲＳ　ＣＯＭＰＡＣＴに従ったＩｕ―ｐｓインタフェースである）インタフェース７５１を含んでいる。
【００８１】
１つの実施形態において、ＳＧＳＮ３５は、Ｉｕ―ｐｓ及びＧｓリンク上をそれぞれ通信するためのインタフェースユニット７７７及び７７９を含んでいる。データトラフィックサービスノード３５の処理コアは、コントロールユニット７６９（又は複数のコントロールユニット）を含んでいる。記憶ユニット７７１（又は複数の記憶ユニット）は、コントロールユニット７６９に連結されている。データトラフィックシステムコントローラ７４０を形成するルーチン及びモジュールは、最初に記憶ユニット７７１に記憶されて、実行のためにコントロールユニット７６９によって読み込まれてもよい。ＳＧＳＮ３５は、さらに、ＧＧＳＮ３６（図１）と通信するためのインタフェース７８１（例えば、Ｇｎインタフェース）を含んでいる。別の実施形態において、インタフェース７８１は、データネットワーク３２上を通信できるネットワークインタフェースコントローラ又はトランシーバであってもよい。
【００８２】
キャリアは、無線ネットワークコントローラ７００に連結されたアンテナ７５４と移動局２０のアンテナ７６２との間で通信される。移動局２０の例示的配置において、無線トランシーバ７６４は、アンテナ７６２に接続されて、キャリア２６を送受信する。コントロールユニット７６６（又は複数のコントロールユニット）は、１つまたはそれ以上の無線トランシーバ７６４に連結されてもよい。コントロールユニット７６６は、記憶ユニット７６８（又は複数の記憶ユニット）に連結されている。コントロールユニット７６６上で実行可能なソフトウェアルーチン７６８は、最初に記憶ユニット７６８の不揮発性部分に記憶されてもよい。入出力（Ｉ／Ｏ）コントローラ７７４は、移動局２０のキーボード７７０及びディスプレイ７７２に連結される。
【００８３】
ＩＰパケット及びＳＩＰメッセージの通信をサポートするために、移動局２０は、さらに、ＳＩＰスタック７０２並びにＵＤＰ／ＩＰスタック７０４を含んでいる。送信側において、ＵＤＰ／ＩＰスタック７０４は、ＩＰパケット内へのカプセル化のために適切なＵＤＰ及びＩＰヘッダを付加する。受信側において、ＵＤＰ／ＩＰスタック７０４は、ペイロード情報，例えばＳＩＰメッセージを、受信されたＩＰパケットから抽出する。ＳＩＰスタック７０２は、ＳＩＰ要求及び応答の解析，処理，及び生成を提供する状態マシーンである。ＤＨＣＰ及びＤＮＳメッセージを生成及び受信できるＲＳＶＰエージェント及びモジュールを含む他のモジュールは、また、移動局２０内に存在している。
【００８４】
ここに説明された種々のソフトウェア層，ルーチン，又はモジュールは、上述のコントロールユニットなどの種々の処理要素上で実行可能であってもよい。各コントロールユニットは、マイクロプロセッサ，マイクロコントローラ，（１つ以上のマイクロプロセッサ又はマイクロコントローラを含む）プロセッサカード，又は他のコントロール又は計算装置を含んでいてもよい。ここで使用されるような「コントローラ」は、ハードウェア又はソフトウェアのいずれか、或いは２つの組み合わせについて言及している。「コントローラ」は、また、単一のコンポーネント又は複数のコンポーネント（ハードウェア又はソフトとウェアのいずれか）について言及している。
【００８５】
記憶ユニットは、データ及び命令を記憶するための１つ以上の機械読取り可能記憶媒体を含んでいる。記憶媒体は、動的又は静的ランダムアクセスメモリ（ＤＲＡＭ又はＳＲＡＭ），消去可能プログラム可能型読取専用メモリ（ＥＰＲＯＭ），電気的消去可能プログラム可能型読取専用メモリ（ＥＥＰＲＯＭ），及びフラッシュメモリなどの半導体メモリ装置と、固定ディスク，フロッピーディスク，及びリムーバブルディスクなどの磁気ディスクと、テープを含む他の磁気媒体と、コンパクトディスク（ＣＤ又はディジタルビデオディスク（ＤＶＤ））などの光学媒体とを含む様々なメモリ形態を含んでいる。種々のネットワーク要素において様々なソフトウェア層，ルーチン，又はモジュールを形成する命令はそれぞれの記憶ユニットに記憶される。それぞれのコントロールユニットによって実行される場合の命令は、対応する局又はシステムにプログラミングされた動作を実行させる。
【００８６】
ソフトウェア層，ルーチン，又はモジュールの命令は、多数の様々な方法の内の１つによって局又はシステムに転送される。例えば、フロッピーディスク，ＣＤ，又はＤＶＤ媒体に記憶され、或いはネットワークインタフェースカード，モデム，又は他のインタフェース装置によって転送される命令を含むコードセグメントはシステムに読み込まれ、対応するソフトウェア層，ルーチン，又はモジュールとして実行される。読み込み又は転送処理において、（電話回線，ネットワーク回線，無線リンク，ケーブルなどを介して送信される）搬送波中で具現化されるデータ信号は、命令を含むコードセグメントをネットワーク要素に通信する。このような搬送波は、電気的，光学的，音響的，電磁的，又は他のタイプの信号の形態である。
【００８７】
本発明は限定された数の実施形態に関して説明されたが、当業者は、多数の修正及び変更を認識するであろう。添付の請求項が、本発明の範囲及び主旨の範囲内で、このような修正及び変更の全てをカバーすることを意図している。
【図面の簡単な説明】
【図１】
１つの実施形態に従った通信システムの実施形態のブロック図である。
【図２】
１つの実施形態に従った、コントロールメッセージを搬送する論理チャネル組み合わせの割り当てを示す図である。
【図３】
１つの実施形態に従った、通話セットアップを実行するための、移動局と無線ネットワークコントローラ（ＲＮＣ）との間のメッセージフローを示す図である。
【図４】
１つの実施形態に従った、通話セッションを解除するためのシーケンスのメッセージフローを示す図である。
【図５】
１つの実施形態に従った、通話を保留状態に置くためのシーケンスのメッセージフローを示す図である。
【図６】
１つの実施形態に従った、パケット交換通話のコントロールシグナリングを搬送するためのパケットデータトラフィックチャネル（ＰＤＴＣＨ）を示す図である。
【図７Ａ乃至図７Ｃ】
もう１つの実施形態に従った、通話のセットアップシーケンスのメッセージフローを示す図である。
【図８】
図１の通信システムのコンポーネントのブロック図である。
【図１】
2004505521.tif 000004
【図２】
2004505521.tif 000005
【図３】
2004505521.tif 000006
【図４】
2004505521.tif 000007
【図５】
2004505521.tif 000008
【図６】
2004505521.tif 000009
【図７Ａ】
2004505521.tif 000010
【図７Ｂ】
2004505521.tif 000011
【図７Ｃ】
2004505521.tif 000012
【図８】
2004505521.tif 000013
【国際公開パンフレット】
2004505521.tif 000014
2004505521.tif 000015
2004505521.tif 000016
2004505521.tif 000017
2004505521.tif 000018
2004505521.tif 000019
2004505521.tif 000020
2004505521.tif 000021
2004505521.tif 000022
2004505521.tif 000023
2004505521.tif 000024
2004505521.tif 000025
2004505521.tif 000026
2004505521.tif 000027
2004505521.tif 000028
2004505521.tif 000029
2004505521.tif 000030
2004505521.tif 000031
2004505521.tif 000032
2004505521.tif 000033
2004505521.tif 000034
2004505521.tif 000035
2004505521.tif 000036
2004505521.tif 000037
2004505521.tif 000038
2004505521.tif 000039
2004505521.tif 000040
2004505521.tif 000041
2004505521.tif 000042
2004505521.tif 000043
2004505521.tif 000044
2004505521.tif 000045
2004505521.tif 000046
2004505521.tif 000047
2004505521.tif 000048
2004505521.tif 000049
2004505521.tif 000050
2004505521.tif 000051
【国際公開パンフレット（コレクトバージョン）】
2004505521.tif 000052
2004505521.tif 000053
【国際公開パンフレット（コレクトバージョン）】
2004505521.tif 000054
2004505521.tif 000055
【国際調査報告】
2004505521.tif 000056
2004505521.tif 000057
2004505521.tif 000058